【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
反射ディスプレイ装置であって、
入射光の方向との関係における狭い角度内において光を反射する１つ又は複数の凸形突出部を有する半再帰反射ディスプレイシートと、
光ガイドと、
光を前記光ガイドに向かって放出するための光源であって、前記光ガイドは、実質的に垂直な方向において、前記半再帰反射ディスプレイシートの表面に向かって、前記光をリダイレクトする、光源と、
フロント電極と、
リア電極と、
前記フロント電極と前記リア電極との間において配設された光学的に透明な流体と、
前記光学的に透明な流体中において懸濁した複数の電気泳動によって移動可能な粒子と、
を有する、反射ディスプレイ装置。
【請求項２】
前記光源は、発光ダイオード（ＬＥＤ）、冷陰極蛍光ランプ（ＣＣＦＬ）、又は表面実装技術（ＳＭＴ）白熱ランプを定義する、請求項１に記載のディスプレイ装置。
【請求項３】
前記フロント電極は、透明であり、且つ、前記半再帰反射ディスプレイシート上において配設される、請求項１に記載のディスプレイ装置。
【請求項４】
前記リア電極は、薄膜トランジスタ又は被駆動型パターン化アレイを更に有する、請求項１に記載のディスプレイ装置。
【請求項５】
電圧源を更に有し、
入射光線が観察者に向かって前記半再帰反射ディスプレイシートにおいて全内部反射されうるように、前記電気泳動によって移動可能な粒子の実質的にすべてを前記リア電極に向かって移動させるための第１電圧と、
前記電気泳動によって移動可能な粒子の実質的にすべてを前記フロント電極に向かって移動させると共に前記半再帰反射表面において集合させることにより、全内部反射を減衰させるための第２電圧と
を提供する、請求項１に記載のディスプレイ装置。
【請求項６】
１つ又は複数の横断壁を更に有する、請求項１に記載のディスプレイ装置。
【請求項７】
フロントライト及び前記半再帰反射ディスプレイシートは、実質的に非ランバート光のディスプレイを提供するように、相互の関係において構成されている、請求項１に記載のディスプレイ装置。
【請求項８】
前記狭い角度は、約１０°〜約３０°の範囲の角度を定義する、請求項１に記載のディスプレイ装置。
【請求項９】
前記光源と前記光ガイドとは、前記反射ディスプレイ装置の内部にある、請求項１に記載のディスプレイ装置。
【請求項１０】
前記光ガイドは、前記光を、前記ディスプレイの外向きのシートの表面に対して実質的に垂直な方向に選択的にリダイレクトする、請求項９に記載のディスプレイ装置。
【請求項１１】
前記光ガイドは、抽出器要素を更に有する、請求項１に記載のディスプレイ装置。
【請求項１２】
反射ディスプレイ装置であって、
透明な外側シートと、
光ガイドと、
光を前記光ガイドの内部に向かって放出するための光源であって、前記光ガイドは、実質的に垂直な方向において、前記透明な外側シートの表面に向かって、前記光をリダイレクトする、光源と、
リア電極と、
前記光源と前記リア電極との間に位置した穿孔シートと、
前記穿孔シート上において配設されたフロント電極と、
前記穿孔シート上における半再帰反射表面と、
前記透明な外側シートと前記リア電極との間に形成された空洞内に配設された媒質と、
前記媒質中において懸濁した複数の電気泳動によって移動可能な粒子と、
を有する、反射ディスプレイ装置。
【請求項１３】
１つ又は複数の横断壁を更に有する、請求項１２に記載のディスプレイ装置。
【請求項１４】
前記光源、前記光ガイド、及び前記半再帰反射表面は、実質的に非ランバート光のディスプレイを提供するように、相互の関係において構成されている、請求項１２に記載のディスプレイ装置。
【請求項１５】
前記リア電極は、薄膜トランジスタ又は被駆動型パターン化アレイを更に有する、請求項１２に記載のディスプレイ装置。
【請求項１６】
前記フロント電極と前記リア電極とを連絡し、前記電気泳動によって移動可能な粒子を前記流体中で選択的に移動させる、電圧源を更に有し、
前記電圧源は、
入射光線が観察者に向かって前記半再帰反射ディスプレイシートにおいて反射されうるように、前記電気泳動によって移動可能な粒子の実質的にすべてを前記リア電極に向かって移動させるための第１電圧と、
前記電気泳動によって移動可能な粒子の実質的にすべてを前記フロント電極に向かって移動させると共に前記半再帰反射表面において集合させることにより、入射光線を吸収するための第２電圧と
を提供する、請求項１２に記載のディスプレイ装置。
【請求項１７】
前記光ガイドは、抽出器要素を更に有する、請求項１２に記載のディスプレイ装置。
【請求項１８】
反射ディスプレイ装置であって、
透明な外側シートと、
光ガイドと、
光を前記光ガイドの内部に向かって放出するための光源であって、前記光ガイドは、実質的に垂直な方向において、前記透明な外側シートの表面に向かって、前記光をリダイレクトする、光源と、
リア電極と、
前記光ガイドと前記リア電極との間に位置した穿孔シートと、
前記穿孔シート上において配設された反射層と、
前記穿孔シート上において配設された透明なフロント電極と、
前記透明な外側シートと前記リア電極との間に形成された空洞内に配設された媒質と、
前記媒質中において懸濁した複数の電気泳動によって移動可能な粒子と、
を有する、反射ディスプレイ装置。
【請求項１９】
１つ又は複数の横断壁を更に有する、請求項１８に記載のディスプレイ装置。
【請求項２０】
前記光源及び前記半再帰反射表面は、実質的に非ランバート光のディスプレイを提供するように、相互の関係において構成されている、請求項１８に記載のディスプレイ装置。
【請求項２１】
前記リア電極は、薄膜トランジスタ又は被駆動型パターン化アレイを更に有する、請求項１８に記載のディスプレイ装置。
【請求項２２】
前記透明フロント電極は、ＩＴＯ、又はＢａｙｔｒｏｎ（登録商標）、又はポリマーマトリックス中において分散した導電性粒子、或いはこれらの組合せから構成される、請求項１８に記載のディスプレイ装置。
【請求項２３】
前記フロント電極と前記リア電極とをバイアスで連絡し、前記電気泳動によって移動可能な粒子を前記流体中で選択的に移動させる、電圧源を更に有し、
前記電圧源は、
入射光線が観察者に向かって前記半再帰反射ディスプレイシートにおいて反射されうるように、前記電気泳動によって移動可能な粒子の実質的にすべてを前記リア電極に向かって移動させるための第１電圧と、
前記電気泳動によって移動可能な粒子の実質的にすべてを前記フロント電極に向かって移動させると共に前記半再帰反射表面において集合させることにより、入射光線を吸収するための第２電圧と
を提供する、請求項１８に記載のディスプレイ装置。
【請求項２４】
前記光ガイドは、抽出器要素を更に有する、請求項１８に記載のディスプレイ装置。
【手続補正２】
【補正対象書類名】明細書
【補正対象項目名】０００４
【補正方法】変更
【補正の内容】
【０００４】
放出光が、主にフロントライトのプレーンに対して垂直の方向を中心としてセンタリン
グされた約３０°の半角錐体（ｈａｌｆ−ａｎｇｌｅ  ｃｏｎｅ）に閉じ込められている
従来のリア照明型のＬＣＤディスプレイの場合とは光出力が異なる。リア照明型のＬＣＤ
ディスプレイは、通常の観察角度において、画面発散度に対する知覚輝度の比率をほぼ倍
増させる。この結果、電池寿命がほぼ倍増する。即ち、画面発散度に対する知覚輝度の比
率が、ランバート光の場合の１／ｐという値から、ほぼ２／ｐにまで増大する。